(57)【要約】【課題】簡易な構成により手間をかけずに回動させ得るようにする。【解決手段】後部２０は、後扉２１における扉裏面２１Ｂの上側に蝶番２５を介して取付板２４を回動可能に取り付け、蝶番２５における回動軸ＸＲの上側を、鉛直軸ＸＶから後扉２１の扉端側へ角度θだけ傾斜させた。このため後部２０は、保守作業者により後扉２１が開放状態にされて係合部２６と係合片２７との係合が解除されると、重力の作用により取付板２４を自動的に回動させることができるので、当該取付板２４の板表面２４Ａに取り付けられている操作パネル３０を後扉２１の扉裏面２１Ｂ側へ向けて保守作業者と対峙させることができる。【選択図】図６
2014075041.tif 000002
【特許請求の範囲】
【請求項１】
基準となる基準面を有する基体と、
使用者に使用される際に当該使用者と対峙する対峙面を有する対峙体と、
上記基体に対し所定の回動軸を中心に上記対峙体を回動させることにより、当該対峙体を、上記対峙面を上記基体の上記基準面に対向させた畳込状態と当該対峙面を当該基準面に対し所定角度をなす展開状態との間で遷移させる回動部と、
上記基体に対し上記対峙体を一時的に上記畳込状態に固定する一時固定部と
を具え、
上記回動部は、
鉛直軸に対し、上記回動軸の上側を、上記対峙体が上記展開状態に遷移されたときの位置に近接させる方向へ傾けられている
ことを特徴とする回動装置。
【請求項２】
上記回動部は、
鉛直軸に対し、上記回動軸の上側を、上記展開状態に遷移されたときの上記対峙体が位置する方向及び上記基準面の法線方向へ傾けられている
ことを特徴とする請求項１に記載の回動装置。
【請求項３】
上記基体及び上記対峙体を電気的に接続するケーブルと、
上記基準面に対し上記畳込状態にある上記対峙体の上記ケーブルの取付箇所よりも離れた箇所で上記ケーブルを支持するケーブル支持部と
を具えることを特徴とする請求項１に記載の回動装置。
【請求項４】
上記基体及び上記対峙体を電気的に接続すると共に、ねじり方向に弾性力を有するケーブルと、
上記対峙体が上記展開状態にあるときに上記ケーブルがねじり方向に関し自然状態となるよう、当該ケーブルの一部を上記基体に固定するケーブル支持部と
をさらに具えることを特徴とする請求項１に記載の回動装置。
【請求項５】
上記対峙体に設けられた吸着体と、
上記基体における上記対峙体が上記展開状態にあるときに上記吸着体と当接する被吸着体と
をさらに具えることを特徴とする請求項１に記載の回動装置。
【請求項６】
上記対峙体は、
上記対峙面から見て上記回動部の反対側に重心が偏っている
ことを特徴とする請求項１に記載の回動装置。
【請求項７】
上記対峙体は、
使用者の操作を受け付ける操作部及び表示画面を表示する表示部の少なくとも一方が上記対峙面に配置されている
ことを特徴とする請求項１に記載の回動装置。
【請求項８】
上記基体は、
上記基準面を貫通する孔部を有し、上記畳込状態に遷移された上記対峙体における上記対峙面の少なくとも一部を当該孔部から上記基準面の反対面側へ露出させる
ことを特徴とする請求項１に記載の回動装置。
【発明の詳細な説明】
【技術分野】
【０００１】
本発明は回動装置に関し、例えば利用者の操作に応じて所望の取引を行う現金自動預払機（ＡＴＭ）等に適用して好適なものである。
【背景技術】
【０００２】
従来、金融機関等で使用される現金自動預払機は、職員等の応対を介することなく顧客の操作に基づいて取引を行うようになされており、例えば顧客に紙幣や硬貨等の現金を入金させ、また顧客へ現金を出金するようになされている。
【０００３】
かかる現金自動預払機は、例えば金融機関のＡＴＭコーナー等に、複数台が並んで壁に埋め込まれるように配置されている。このため現金自動預払機は、前面を壁の手前側に露出させて顧客に対峙させる一方、この壁の反対側において背面を露出させている。
【０００４】
現金自動預払機の背面には、開閉可能な背面扉が設けられている。現金自動預払機は、安全面等の観点から通常の運用時には背面扉が閉塞され施錠等がされる一方、障害の発生時等には解錠された上で背面扉が開放されることにより、内部の機器等に対して必要な保守作業が行われる。
【０００５】
また現金自動預払機のなかには、背面扉に保守作業用の操作パネルが取り付けられたものがある（例えば、特許文献１参照）。この操作パネルは、保守作業者の操作を受け付ける操作部と、現金自動預払機の内部における状態を文字や図形等により表示する表示部とが組み合わされている。
【０００６】
またこの操作パネルは、背面扉に対し上下方向に沿った回動軸を中心として回動することにより、当該背面扉の表面側及び裏面側のいずれに向けることも可能となっている。
【０００７】
このため現金自動預払機は、背面扉の閉塞時に操作パネルを表面側へ向けることにより、背面側からの操作入力を可能とする一方、背面扉を開放した際に、操作パネルを回動させて当該背面扉の表面側へ向けることにより、筐体内の各機器に対し保守作業を行う保守作業者による操作入力も可能とすることができる。
【先行技術文献】
【特許文献】
【０００８】
【特許文献１】実開平３−７４７９１号公報（第１図）
【発明の概要】
【発明が解決しようとする課題】
【０００９】
しかしながら、かかる構成の現金自動預払機では、例えば保守作業者が保守作業を開始する際に、背面扉を開放した後に当該保守作業者等の手作業により操作パネルを回動させる必要があり、手間がかかっていた。
【００１０】
一方、周知のスプリングやリンク機構等を組み込むことにより、背面扉の開放や操作パネルを固定しているロック機構の解除を契機として当該操作パネルを自動的に回動させることも可能となるが、この場合には部品の追加が必要となり、製造コストの上昇に繋がってしまう、という問題があった。
【００１１】
本発明は以上の点を考慮してなされたもので、簡易な構成により手間をかけずに回動させることができる回動装置を提案しようとするものである。
【課題を解決するための手段】
【００１２】
かかる課題を解決するため本発明の回動装置においては、基準となる基準面を有する基体と、使用者に使用される際に当該使用者と対峙する対峙面を有する対峙体と、基体に対し、対峙体を、対峙面を基体の基準面に対向させた畳込状態と当該対峙面を当該基準面に対し所定角度をなす展開状態との間で回動軸を中心に回動させる回動部と、基体に対し対峙体を一時的に畳込状態に固定する一時固定部とを設け、回動部は、鉛直軸に対し回動軸の上側を展開状態にある対峙体に近接させる方向へ傾けられているようにした。
【００１３】
これにより本発明は、畳込状態において対峙体に加わる重力の一部を当該対峙体が展開状態に遷移されたときの位置へ向けて作用させることができるので、一時固定部による一時的な固定が解除されるだけで、基体に対し回動軸を中心に対峙体を回動させて展開状態へ遷移させることができる。
【発明の効果】
【００１４】
本発明によれば、畳込状態において対峙体に作用する重力の一部を当該対峙体が展開状態となったときの位置へ向けることができるので、一時固定部による一時的な固定が解除されるだけで、基体に対し回動軸を中心に対峙体を回動させて展開状態とすることができる。かくして本発明は、簡易な構成により手間をかけずに閉塞状態から開放状態へ遷移させ得る回動装置を実現できる。
【図面の簡単な説明】
【００１５】
【図１】現金自動預払機の構成を示す略線的斜視図である。
【図２】後部の構成（１）を示す略線的斜視図である。
【図３】後部の構成（２）を示す略線的斜視図である。
【図４】後部の構成（３）を示す略線的斜視図である。
【図５】後部の構成（４）を示す略線的斜視図である。
【図６】第１の実施の形態における回動軸の傾斜を示す略線図である。
【図７】第２の実施の形態における回動軸の傾斜を示す略線図である。
【図８】第３の実施の形態における後部の構成を示す略線図である。
【図９】第４の実施の形態における後部の構成を示す略線図である。
【発明を実施するための形態】
【００１６】
以下、発明を実施するための形態（以下実施の形態とする）について、図面を用いて説明する。
【００１７】
［１．第１の実施の形態］
［１−１．現金自動預払機の構成］
図１に外観を示すように、現金自動預払機１は、箱状の筐体２を中心に構成されており、例えば金融機関等に設置され、顧客との間で入金取引や出金取引等の現金に関する取引を行うようになされている。
【００１８】
筐体２は、その前側に顧客が対峙した状態で紙幣の投入やタッチパネルによる操作等をしやすい箇所、すなわち前面の上部から上面に渡る部分が一部切り落とされたような形状となっており、この部分に接客部３が設けられている。
【００１９】
また筐体２は、防犯等の観点から各側面が肉厚な金属板等により頑強に構成されており、一部の箇所のみが開閉できるようになされている。
【００２０】
接客部３は、顧客との間で現金や通帳等を直接やり取りすると共に、取引に関する情報の通知や操作指示の受付を行うようになされており、カード入出口４、通帳入出口５、紙幣入出金口６、硬貨入出金口７及び表示操作部８が設けられている。
【００２１】
カード入出口４は、キャッシュカード等の各種カードが挿入又は排出される部分である。カード入出口４の奥側には、各種カードに磁気記録された口座番号等の読み取りを行うカード処理部（図示せず）が設けられている。
【００２２】
通帳入出口５は、通帳が挿入又は排出される部分である。通帳入出口５の奥側には、通帳に記録された磁気情報の読み取りや取引内容の印字処理等を行う通帳処理部（図示せず）が設けられている。
【００２３】
紙幣入出金口６は、顧客が入金する紙幣が投入されると共に、顧客へ出金する紙幣が排出される部分である。また紙幣入出金口６は、シャッタを駆動することにより開放又は閉塞するようになされている。
【００２４】
硬貨入出金口７は、顧客が入金する硬貨が投入されると共に、顧客へ出金する硬貨が排出される部分である。また硬貨入出金口７は、紙幣入出金口６と同様にシャッタを駆動することにより開放又は閉塞するようになされている。
【００２５】
表示操作部８は、取引に際して操作画面を表示するＬＣＤ（Liquid Crystal Display）と、取引の種類の選択、暗証番号や取引金額等を入力するタッチセンサとが一体化されており、いわゆるタッチパネルとして構成されている。
【００２６】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２７】
筐体２内には、現金自動預払機１全体を統括制御する主制御部９や、紙幣に関する種々の処理を行う紙幣入出金機等が設けられている。
【００２８】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００２９】
また主制御部９は、内部にＲＡＭ（Random Access Memory）、ハードディスクドライブやフラッシュメモリ等でなる記憶部を有しており、この記憶部に種々の情報を記憶させるようになされている。
【００３０】
このように現金自動預払機１は、筐体２の内部に紙幣及び硬貨やこれらを取り扱う種々の機器を格納するようになされている。
【００３１】
［１−２．後部の構成］
ところで筐体２の後側は、大きく開放されていると共に、後部２０が設けられている。この後部２０は、図２に示すように、筐体２の後面を閉塞する後扉２１を中心に構成されている。
【００３２】
基体としての後扉２１は、強固な金属板により構成されており、筐体２の右側面後端に取り付けられた蝶番２２を介して当該筐体２に取り付けられることにより、上下方向に沿った中心軸を回動中心として自在に回動し得るようになされている。
【００３３】
なお説明の都合上、以下では後扉２１における蝶番２２に近い側を扉軸側と呼び、その反対側を扉端側と呼ぶ。
【００３４】
この後扉２１は、扉表面２１Ａを後方向へ向けると共に基準面としての扉裏面２１Ｂを前方向へ向けて筐体２の後側を閉塞する閉塞状態にあるとき、筐体２内に収納されている紙幣及び硬貨、並びに装置の各部を保護するようになされている。現金自動預払機１は、顧客の操作に応じて取引処理を行う場合等、通常時にはこの閉塞状態になされる。
【００３５】
また後扉２１は、錠２３が設けられている。錠２３は、閉塞状態において専用の鍵を用いて施錠されると後扉２１をこの閉塞状態に保持する。また錠２３は、この鍵を用いて解錠されると、閉塞状態と開放状態との間で後扉２１を自在に回動させるようになされている。
【００３６】
一方後扉２１は、筐体２内に格納されている各ユニット（紙幣入出金機等）に対する保守作業が行われる場合等に、閉塞状態から蝶番２２を中心に回動されると、図３に示すように、扉表面２１Ａを左方向へ向けると共に扉裏面２１Ｂを右方向へ向けて筐体２の後側を開放する開放状態となる。
【００３７】
後扉２１における扉裏面２１Ｂの上側には、回動部としての蝶番２５を介して、薄板状に構成された対峙体としての取付板２４が取り付けられている。
【００３８】
蝶番２５は、後扉２１の上側における扉端側、すなわち開放状態にあるときの後端近傍に、回動軸をおおむね上下方向へ向けるように取り付けられている（詳しくは後述する）。また蝶番２５は、対峙体としての取付板２４における板端側の上寄り及び下寄りの２箇所に取り付けられている。なお説明の都合上、以下では取付板２４における蝶番２５に近い側を板軸側と呼び、その反対側を板端側と呼ぶ。
【００３９】
この蝶番２５により、取付板２４は、図３に示したように板裏面２４Ｂを後扉２１の扉裏面２１Ｂと同じ方向へ向けた状態（以下これを畳込状態と呼ぶ）と、図４に示すように板表面２４Ａを扉裏面２１Ｂと同じ方向へ向けた状態（以下これを展開状態と呼ぶ）との間で、約１８０度の範囲で自在に回動することができる。
【００４０】
取付板２４は、対峙面としての板表面２４Ａに、保守作業者等により操作される操作パネル３０が設けられている。操作パネル３０は、表示操作部８（図１）と同様のタッチパネルにより構成されており、保守作業者に対峙して使用されることが想定されている。
【００４１】
具体的に操作パネル３０は、紙幣の収納枚数や障害発生の有無のような内部の動作状態を表示画面やインジケータ等に表示して保守作業者に視認させると共に、当該保守作業者による入力操作を受け付けるようになされている。
【００４２】
因みに操作パネル３０は、ケーブル３１により筐体２内の各部と電気的に接続されている。このケーブル３１は、図３に示したように、筐体２内における上側の蝶番２２の近傍から引き出され、後扉２１の扉裏面２１Ｂ側において、操作パネル３０の下側をケーブル支持部３２により支持されながら扉端側へ引き回されている。さらにケーブル３１は、ケーブル支持部３２の扉端側から円弧を描きながら上方へ引き上げられ、操作パネル３０における板軸側の中央付近に接続されている。
【００４３】
後扉２１の操作パネル３０に相当する箇所には、当該操作パネル３０の外形よりも僅かに大きい孔部２１Ｈが、後扉２１の表裏を貫通するように穿設されている。
【００４４】
また後扉２１における孔部２１Ｈの扉表面２１Ａ側には、図５に示すように、当該孔部２１Ｈよりも僅かに大きい薄板状の保護板３３が、蝶番３４を介して後扉２１に対し回動可能に取り付けられている。
【００４５】
保護板３３は、その板面を後扉２１の扉表面２１Ａと対向させるよう閉塞されると（図２）、孔部２１Ｈを覆い、閉塞された状態から回動されてその板面を扉表面２１Ａから引き離すよう開放されると（図５）、当該孔部２１Ｈを露出させる。また保護板３３は、一部に板面を貫通する孔部３３Ｈが穿設されている。
【００４６】
さらに取付板２４（図３）の遠端側には、一時固定部としての係合部２６が取り付けられており、保守作業者等の操作により、後扉２１の扉裏面２１Ｂに設けられた係合片２７と係合し、又はこの係合を解除し得るようになされている。
【００４７】
この係合部２６は、取付板２４が畳込状態にあるときに係合片２７と係合されると、当該取付板２４を畳込状態に固定する。また係合部２６は、係合片２７との係合が解除されると、取付板２４の回動を許容して畳込状態と展開状態との間の遷移を可能とする。
【００４８】
かかる構成により後部２０は、取付板２４が畳込状態にある場合、板表面２４Ａ及び操作パネル３０を後扉２１の扉表面２１Ａと同じ方向へ向けている。
【００４９】
後部２０は、この状態で保護板３３が閉塞された場合（図２）、後扉２１の扉表面２１Ａ側から保護板３３により操作パネル３０の大部分の領域を覆って保護すると共に、その一部の領域を孔部３３Ｈから露出させ、保守作業者による操作や表示内容の視認を可能とする。
【００５０】
また後部２０は、この状態で保護板３３が開放された場合（図５）、操作パネル３０を何ら覆うことなく全面的に開放して保守作業者に対峙させ、全領域に対する操作や表示内容の視認を可能とする。
【００５１】
ところで現金自動預払機１では、保守作業者による保守作業が行われる際、例えば筐体２の後側であって、開放されている後扉２１の扉裏面２１Ｂと向き合うような位置から、筐体２内の各部又は筐体２から後方へスライドさせた各ユニットに対して保守作業を行うことが想定されている。
【００５２】
このため後部２０は、後扉２１が開放状態にあるとき、取付板２４が畳込状態から回動されて展開状態にされることにより、板表面２４Ａ及び操作パネル３０を当該後扉２１の扉裏面２１Ｂ側へ向け、保守作業者に対峙させて、操作や表示画面の視認を行わせることができる（図４）。
【００５３】
かかる構成に加えて、後部２０では、後扉２１に対し取付板２４を回動可能に取り付けている蝶番２５が、その回動軸が鉛直方向（すなわち重力が作用する方向）から僅かに傾斜するよう設定されている。
【００５４】
すなわち蝶番２５は、図６に示すように、回動軸ＸＲの上側を鉛直軸ＸＶから後扉２１の扉端側へ角度θ（例えば約１度）だけ倒されるように、当該後扉２１に取り付けられている。
【００５５】
これを換言すれば、蝶番２５の回動軸ＸＲは、後扉２１の扉裏面２１Ｂ側から見て、鉛直軸ＸＶから反時計回りに角度θだけ回転されている。また他の観点から見れば、回動軸ＸＲが傾斜している方向（扉端側へ向かう方向）は、取付板２４が展開状態に遷移されたときの位置へ当該回動軸ＸＲの上側を近接させる方向でもある。
【００５６】
一方、取付板２４の重心Ｐは、板面のおよそ中央付近、すなわち蝶番２５の回動軸ＸＲから板端側へ離れた箇所にある。この重心Ｐにおいて取付板２４の質量に応じて作用する重力Ｗは、回動軸ＸＲと平行な成分Ｗ１と、当該成分Ｗ１と直交する成分Ｗ２とに分解することができる。
【００５７】
この成分Ｗ２は、取付板２４が畳込状態にあるとき、当該取付板２４に対し、重心Ｐを後扉２１の扉端側へ移動させる力、すなわち畳込状態から展開状態へ回動しようとする力として作用する。
【００５８】
このため取付板２４は、畳込状態において係合部２６と係合片２７との係合が解除されると、後扉２１の扉端側へ重心Ｐを移動させるべく、蝶番２５により回動して展開状態に遷移する。
【００５９】
他の観点から見れば、取付板２４は、自在に回動できる状態であれば、回動可能な範囲において重心Ｐが最も低くなる位置、換言すれば位置エネルギーを最も低減させる位置へ回動する。
【００６０】
かくして後部２０は、蝶番２５の回動軸ＸＲを鉛直軸ＸＶに対し扉端側へ角度θだけ傾斜させたことにより、畳込状態の取付板２４に対し何ら回動操作をさせることなく、当該取付板２４を自重により自動的に回動させて展開状態に遷移させ、板表面２４Ａ及び操作パネル３０を後扉２１の扉裏面２１Ｂ側へ向けることができる。
【００６１】
［１−３．動作及び効果］
以上の構成において、第１の実施の形態による後部２０は、筐体２の後面に開閉可能な後扉２１を設け、当該後扉２１の扉裏面２１Ｂの上側に、蝶番２５により回動可能な取付板２４を設け、さらに取付板２４の板表面２４Ａ側に操作パネル３０を取り付けた。
【００６２】
また後部２０は、回動軸ＸＲの上側を、鉛直軸ＸＶから後扉２１の扉端側へ角度θだけ傾斜させるよう、後扉２１に対する蝶番２５の取付角度を設定した。
【００６３】
このため後部２０は、後扉２１が開放状態にされて係合部２６と係合片２７との係合が解除されると、重力の作用により取付板２４を回動させ、畳込状態から展開状態へ自動的に遷移させることができる。
【００６４】
すなわち後部２０は、保守作業者に取付板２４の回動操作をさせることなく、当該取付板２４を自重により回動させて展開状態にし、板表面２４Ａ及び操作パネル３０を後扉２１の扉裏面２１Ｂ側に向けることができる。
【００６５】
これにより後部２０は、保守作業者に対し、後扉２１を開放させ、当該後扉２１の扉裏面２１Ｂ側から係合部２６と係合片２７との係合を解除させるだけで、操作パネル３０を扉裏面２１Ｂ側へ向けて当該保守作業者と対峙させることができるので、直ちに当該操作パネル３０に対する操作や視認を行わせることができる。
【００６６】
また後部２０は、従来と比較して、蝶番２５の取付角度を鉛直軸ＸＶから傾斜させるだけで取付板２４を回動させることができるので、スプリングやリンク機構を利用する場合のような構成の複雑化や部品点数の増加を伴うことなく、製造や保守に要するコストを低廉に抑えることができる。
【００６７】
以上の構成によれば、第１の実施の形態による後部２０は、後扉２１における扉裏面２１Ｂの上側に蝶番２５を介して取付板２４を回動可能に取り付け、蝶番２５における回動軸ＸＲの上側を、鉛直軸ＸＶから後扉２１の扉端側へ角度θだけ傾斜させた。このため後部２０は、保守作業者により後扉２１が開放状態にされて係合部２６と係合片２７との係合が解除されると、重力の作用により取付板２４を自動的に回動させることができるので、当該取付板２４の板表面２４Ａに取り付けられている操作パネル３０を後扉２１の扉裏面２１Ｂ側へ向けて保守作業者と対峙させることができる。
【００６８】
［２．第２の実施の形態］
第２の実施の形態においては、筐体２の後側に後部２０に代わる後部１２０が設けられている点が相違するものの、他の部分については第１の実施の形態と同様に構成されている。
【００６９】
［２−１．後部の構成］
後部１２０は、第１の実施の形態による後部２０と比較して、蝶番２５に代わる蝶番１２５が設けられている点が相違するものの、他の部分については同様に構成されている。
【００７０】
蝶番１２５は、図６と対応する図７に示すように、蝶番２５と比較して、後扉２１に対し取付板２４を回動可能に支持する点において同様であるものの、鉛直軸ＸＶに対する回動軸ＸＲの傾斜角度が異なっている。
【００７１】
具体的に蝶番１２５は、後扉２１の扉裏面２１Ｂ側から見た場合、第１の実施の形態と同様に、回動軸ＸＲの上側を鉛直軸ＸＶから当該後扉２１の扉端側へ角度θだけ倒すように、当該後扉２１に取り付けられている。
【００７２】
このため、取付板２４の重心Ｐに作用する重力Ｗを回動軸ＸＲと平行な成分Ｗ１と当該成分Ｗ１に直交する成分Ｗ２とに分解した場合、この成分Ｗ２は、取付板２４が畳込状態にあるとき、当該取付板２４に対し、重心Ｐを後扉２１の扉端側へ移動させる力として作用する。
【００７３】
さらに蝶番１２５は、後扉２１の扉端側から見て、回動軸ＸＲの上側を鉛直軸ＸＶから扉裏面２１Ｂの法線方向へ角度φ（例えば約１度）だけ倒すように、すなわち畳込状態にある取付板２４を後扉２１の扉裏面２１Ｂから引き離す方向へ角度φだけ傾斜させるように、当該後扉２１に取り付けられている。
【００７４】
このため、取付板２４の重心Ｐに作用する重力Ｗを回動軸ＸＲと平行な成分Ｗ３と当該成分Ｗ３に直交する成分Ｗ４とに分解した場合、この成分Ｗ４は、取付板２４が畳込状態にあるとき、当該取付板２４に対し、重心Ｐを後扉２１の扉裏面２１Ｂ側へ移動させる力として作用する。
【００７５】
かかる構成により取付板２４は、畳込状態において係合部２６と係合片２７との係合が解除されると、まず成分Ｗ４の作用により重心Ｐを扉裏面２１Ｂの法線方向へ移動させるべく回動を開始し、引き続き成分Ｗ２の作用により重心Ｐを扉端側へ移動させるべく回動を継続することにより、やがて展開状態へ遷移する。
【００７６】
かくして後部１２０は、畳込状態の取付板２４に対し何ら回動操作をさせることなく、当該取付板２４を自重により自動的に回動させて展開状態に遷移させ、操作パネル３０を後扉２１の扉裏面２１Ｂ側へ向けることができる。
【００７７】
［２−２．動作及び効果］
以上の構成において、第２の実施の形態による後部１２０は、筐体２の後面に開閉可能な後扉２１を設け、当該後扉２１における扉裏面２１Ｂの上側に蝶番１２５により回動可能な取付板２４を設け、さらに取付板２４に操作パネル３０を取り付けた。
【００７８】
また後部１２０は、回動軸ＸＲの上側を、鉛直軸ＸＶから後扉２１の扉端側へ角度θ傾斜させると共に扉裏面２１Ｂの法線方向へ角度φ傾斜させるよう、後扉２１に対する蝶番１２５の取付角度を設定した。
【００７９】
このため後部１２０は、後扉２１が開放状態にされて係合部２６と係合片２７との係合が解除されると、第１の実施の形態と同様、保守作業者に取付板２４の回動操作をさせることなく、当該取付板２４を自重により回動させて展開状態にし、操作パネル３０を後扉２１の扉裏面２１Ｂ側に向けることができる。
【００８０】
これにより後部１２０は、第１の実施の形態と同様、保守作業者に対し、後扉２１を開放させ、当該後扉２１の扉裏面２１Ｂ側から係合部２６と係合片２７との係合を解除させるだけで、操作パネル３０を後扉２１の扉裏面２１Ｂ側へ向けて当該保守作業者と対峙させることができ、直ちに当該操作パネル３０に対する操作や視認を行わせることができる。
【００８１】
特に後部１２０は、蝶番１２５の回動軸ＸＲを鉛直軸ＸＶから扉端側に加えて扉裏面２１Ｂの法線方向へも傾斜させているため、畳込状態においても、取付板２４の重心Ｐから扉裏面２１Ｂの法線方向、すなわち当該取付板２４が回動すべき方向へ成分Ｗ４の力を作用させることができ、極めて円滑に回動を開始させることができる。
【００８２】
その他の点についても、第２の実施の形態による後部１２０は、第１の実施の形態による後部２０と同様の作用効果を奏し得る。
【００８３】
以上の構成によれば、第２の実施の形態による後部１２０は、後扉２１の扉裏面２１Ｂ上側に蝶番１２５を介して取付板２４を回動可能に取り付け、蝶番１２５における回動軸ＸＲの上側を、鉛直軸ＸＶから後扉２１の扉端側へ角度θだけ傾斜させると共に扉裏面２１Ｂの法線方向へ角度φだけ傾斜させた。このため後部１２０は、保守作業者により後扉２１が開放状態にされて係合部２６と係合片２７との係合が解除されると、重力の作用により取付板２４を自動的に回動させることができるので、当該取付板２４の板表面２４Ａに取り付けられている操作パネル３０を後扉２１の扉裏面２１Ｂ側へ向けて保守作業者と対峙させることができる。
【００８４】
［３．第３の実施の形態］
第３の実施の形態においては、筐体２の後側に後部２０に代わる後部２２０が設けられている点が相違するものの、他の部分については第１の実施の形態と同様に構成されている。
【００８５】
［３−１．後部の構成］
後部２２０は、第１の実施の形態による後部２０と比較して、取付板２４及びケーブル支持部３２に代わる取付板２２４及びケーブル支持部２３２が設けられている点が相違するものの、他の部分については同様に構成されている。
【００８６】
取付板２２４は、図６と対応する図８に示すように、取り付けられる部品（図示せず）のうち重量の大きいものが板端側に寄せて取り付けられる等、重量の配分が調整されている。このため取付板２２４の重心Ｐは、第１の実施の形態による取付板２４（図６）よりも板端側に位置している。
【００８７】
ケーブル支持部２３２は、ケーブル３１と後扉２１の扉裏面２１Ｂ側との間に所定の距離Ｄを空けるよう、当該ケーブル３１を支持している。
【００８８】
このため取付板２２４は、畳込状態において、ケーブル３１と操作パネル３０との接続箇所に対し、当該ケーブル３１により扉裏面２１Ｂの法線方向へ引っ張る力が作用する。
【００８９】
これにより取付板２２４は、第２の実施の形態において重心Ｐに作用する重力Ｗの成分Ｗ４が作用する場合と同様、扉裏面２１Ｂの法線方向への回動を開始する。
【００９０】
その後取付板２２４は、第１及び第２の実施の形態と同様、重心Ｐに作用する重力Ｗの成分Ｗ２の作用により、当該重心Ｐを扉端側へ移動させるべく回動を継続し、やがて展開状態へ遷移する。
【００９１】
かくして後部２２０は、第１及び第２の実施の形態と同様、畳込状態の取付板２２４に対し何ら回動操作をさせることなく、当該取付板２２４を自重により自動的に回動させて展開状態に遷移させ、操作パネル３０を後扉２１の扉裏面２１Ｂ側へ向けることができる。
【００９２】
［３−２．動作及び効果］
以上の構成において、第３の実施の形態による後部２２０は、筐体２の後面に開閉可能な後扉２１を設け、当該後扉２１の扉裏面２１Ｂ上側に蝶番２５により回動可能な取付板２２４を設け、さらに取付板２４に操作パネル３０を取り付けた。
【００９３】
また後部２２０は、蝶番２５における回動軸ＸＲの上側を鉛直軸ＸＶから後扉２１の扉端側へ角度θだけ傾斜させると共に、ケーブル支持部２３２によりケーブル３１を後扉２１における扉裏面２１Ｂの法線方向へ距離Ｄだけ引き離しながら支持するようにした。
【００９４】
このため後部２２０は、後扉２１が開放状態にされて係合部２６と係合片２７との係合が解除されると、第１の実施の形態と同様、保守作業者に取付板２２４の回動操作をさせることなく、当該取付板２２４を自重により回動させて展開状態にし、操作パネル３０を後扉２１の扉裏面２１Ｂ側に向けることができる。
【００９５】
これにより後部２２０は、第１の実施の形態と同様、保守作業者に対し、後扉２１を開放させ、当該後扉２１の扉裏面２１Ｂ側から係合部２６と係合片２７との係合を解除させるだけで、操作パネル３０を当該扉裏面２１Ｂ側へ向けて当該保守作業者と対峙させることができ、直ちに当該操作パネル３０に対する操作や視認を行わせることができる。
【００９６】
特に後部２２０は、ケーブル支持部２３２によりケーブル３１を後扉２１における扉裏面２１Ｂの法線方向へ距離Ｄだけ引き離した。これにより後部２２０は、畳込状態において、当該ケーブル３１の自重及び張力を扉裏面２１Ｂの法線方向、すなわち当該取付板２２４が回動すべき方向へ向かう力として作用させることができ、極めて円滑に回動を開始させることができる。
【００９７】
ところで蝶番２５は、構造的な制約により回動摩擦が生じることがあり、取付板２２４の回動を抑制してしまう恐れがある。このため後部２２０では、取付板２２４の回転モーメントが小さい場合、畳込状態から展開状態まで遷移する前に回動摩擦により停止してしまう恐れがある。
【００９８】
この点において後部２２０は、取付板２２４における重心Ｐの位置を蝶番２５から、すなわち回動軸ＸＲから引き離した。これにより後部２２０では、取付板２２４が回動軸ＸＲの傾斜に起因して自重により回動する際の回転モーメントを大きくすることができるので、取付板２２４を途中で停止させることなく、畳込状態から展開状態まで回動させることができる。
【００９９】
これを他の観点から見れば、後部２２０は、回動軸ＸＲの傾斜角θを比較的小さな値とすることにより、重心Ｐに作用する重力Ｗのうち成分Ｗ２を小さく抑えたとしても、取付板２２４に十分な回転モーメントを与えることができるので、展開状態まで回動させることが可能となる。これにより後部２２０は、展開状態における操作パネル３０の傾斜角度を小さく抑えることができ、保守作業者に扱いにくさを殆ど感じさせずに済む。
【０１００】
その他の点についても、第３の実施の形態による後部２２０は、第１の実施の形態による後部２０と同様の作用効果を奏し得る。
【０１０１】
以上の構成によれば、第３の実施の形態による後部２２０は、後扉２１の扉裏面２１Ｂ上側に蝶番２５を介して取付板２２４を回動可能に取り付け、蝶番２５における回動軸ＸＲの上側を鉛直軸ＸＶから後扉２１の扉端側へ角度θだけ傾斜させると共に、ケーブル支持部２３２によりケーブル３１を後扉２１の扉裏面２１Ｂ側から距離Ｄだけ引き離した。このため後部２２０は、保守作業者により後扉２１が開放状態にされて係合部２６と係合片２７との係合が解除されると、重力の作用により取付板２２４を自動的に回動させることができるので、当該取付板２４に取り付けられている操作パネル３０を後扉２１の扉裏面２１Ｂ側へ、すなわち保守作業者のいる方へ向けることができる。
【０１０２】
［４．第４の実施の形態］
第４の実施の形態においては、筐体２の後側に後部２０に代わる後部３２０が設けられている点が相違するものの、他の部分については第１の実施の形態と同様に構成されている。
【０１０３】
［４−１．後部の構成］
後部３２０は、第１の実施の形態による後部２０と比較して、吸着部３４１及び被吸着部３４２が設けられている点が相違するものの、他の部分については同様に構成されている。
【０１０４】
吸着部３４１は、磁石で構成されており、図６と対応する図９に示すように、取付板２４の板裏面２４Ｂにおける板軸側に、磁極を露出させるように取り付けられている。
【０１０５】
被吸着部３４２は、磁性材料により構成されており、後扉２１の扉裏面２１Ｂ側における蝶番２５よりも扉端側に取り付けられている。この被吸着部３４２には、後扉２１の扉裏面２１Ｂとほぼ平行な吸着面が形成されている。
【０１０６】
かかる構成により取付板２４は、畳込状態において係合部２６と係合片２７との係合が解除されると、第１の実施の形態と同様、重心Ｐに加わる重力Ｗのうち成分Ｗ２の作用により当該重心Ｐを扉端側へ移動させるべく回動する。
【０１０７】
その後取付板２４は、吸着部３４１を被吸着部３４２へ近接させていき、やがて吸着部３４１の磁力が被吸着部３４２に作用することにより、当該吸着部３４１を当該被吸着部３４２に吸着させ、展開状態となる。
【０１０８】
このとき取付板２４は、吸着部３４１と被吸着部３４２との間に作用する磁力により展開状態に保持され、比較的弱い外力が加えられたとしても回動することなく、この展開状態を保持する。
【０１０９】
このように後部３２０は、吸着部３４１と被吸着部３４２との吸着作用により、取付板２４を展開状態に保持し得るようになされている。
【０１１０】
［４−２．動作及び効果］
以上の構成において、第４の実施の形態による後部３２０は、筐体２の後面に開閉可能な後扉２１を設け、当該後扉２１の扉裏面２１Ｂ上側に蝶番２５により回動可能な取付板２４を設け、さらに取付板２４に操作パネル３０を取り付けた。
【０１１１】
また後部３２０は、回動軸ＸＲの上側を鉛直軸ＸＶから後扉２１の扉端側へ角度θだけ傾斜させた。
【０１１２】
さらに後部３２０は、取付板２４の板裏面２４Ｂに吸着部３４１を取り付けると共に、後扉２１の扉裏面２１Ｂ側における蝶番２５よりも扉端側に被吸着部３４２を取り付けた。
【０１１３】
このため後部３２０は、後扉２１が開放状態にされて係合部２６と係合片２７との係合が解除されると、第１の実施の形態と同様、保守作業者に取付板２４の回動操作をさせることなく、当該取付板２４を自重により回動させて展開状態にし、操作パネル３０を後扉２１の扉裏面２１Ｂ側に向けることができる。
【０１１４】
また後部３２０は、取付板２４が展開状態になったとき、吸着部３４１を被吸着部３４２に吸着させ、この展開状態を保持する。
【０１１５】
これにより後部３２０は、第１の実施の形態と同様、保守作業者に対し、後扉２１を開放させ、当該後扉２１の扉裏面２１Ｂ側から係合部２６と係合片２７との係合を解除させるだけで、操作パネル３０を後扉２１の扉裏面２１Ｂ側へ、すなわち当該保守作業者がいる方へ向けることができ、直ちに当該操作パネル３０に対する操作や視認を行わせることができる。
【０１１６】
また後部３２０は、吸着部３４１と被吸着部３４２との吸着作用により、取付板２４を展開状態に保持することができるので、例えば取付板２４を回動させる意図が無いにも関わらず不用意に触れてしまった場合等、比較的弱い外力が加えられたとしても、当該取付板２４を展開状態に保持することができる。これにより後部３２０は、保守作業者が操作パネル３０に対し操作や視認等の作業を容易に行い得る状況を維持することができる。
【０１１７】
さらに後部３２０は、吸着部３４１と被吸着部３４２との吸着作用を利用しているため、展開状態にある取付板２４を保守作業者の手作業により畳込状態へ回動させる際に、取付板２４を回動すべき方向へある程度強い力を加えて引き離させるだけで良く、特別な操作をさせる必要が無いため、余計な手間をかけさせずに済む。
【０１１８】
その他の点についても、第４の実施の形態による後部３２０は、第１の実施の形態による後部２０と同様の作用効果を奏し得る。
【０１１９】
以上の構成によれば、第４の実施の形態による後部３２０は、後扉２１の扉裏面２１Ｂ上側に蝶番２５を介して取付板２４を回動可能に取り付け、蝶番２５における回動軸ＸＲの上側を鉛直軸ＸＶから後扉２１の扉端側へ角度θだけ傾斜させ、さらに吸着部３４１及び被吸着部３４２を設けた。このため後部３２０は、保守作業者により後扉２１が開放状態にされて係合部２６と係合片２７との係合が解除されると、重力の作用により取付板２４を自動的に回動させることができるので、当該取付板２４に取り付けられている操作パネル３０を後扉２１の扉裏面２１Ｂ側へ、すなわち保守作業者のいる方へ向けることができ、さらに吸着部３４１と被吸着部３４２との吸着作用によりこの状態を保持することができる。
【０１２０】
［５．他の実施の形態］
なお上述した第１の実施の形態においては、筐体２に対し回動する後扉２１に蝶番２５を介して取付板２４を回動可能に取り付けるようにした場合について述べた。
【０１２１】
しかしながら本発明はこれに限らず、例えば固定された筐体２における左右の側面板等、種々の箇所に蝶番２５を介して取付板２４を回動可能に取り付けるようにしても良い。第２〜第４の実施の形態についても同様である。
【０１２２】
また上述した第１の実施の形態においては、取付板２４を畳込状態から約１８０度回動させた状態を展開状態とするようにした場合について述べた。
【０１２３】
しかしながら本発明はこれに限らず、例えば約１５０度や約９０度等、取付板２４を畳込状態から任意の角度だけ回動させた状態を展開状態とするようにしても良い。ただし、一般に回動軸ＸＲが鉛直軸ＸＶから傾斜されている場合に重心Ｐが最も高くなる方向と最も低くなる方向とのなす角度が１８０度となることから、畳込状態と展開状態とのなす角度も１８０度以内に収めることが望ましい。第２〜第４の実施の形態についても同様である。
【０１２４】
さらに上述した第１の実施の形態においては、回動軸ＸＲの鉛直軸ＸＶからの角度θを約１度とするようにした場合について述べた。
【０１２５】
しかしながら本発明はこれに限らず、角度θを約０．５度や約２度等、任意の値としても良い。ただし、角度θの大きさに応じて取付板２４の回動速度が高まり、また展開状態における操作パネル３０の傾斜角度も大きくなるため、角度θについては、取付板２４が自重で回動し得る範囲でできるだけ小さい値に調整することが望ましい。第２〜第４の実施の形態についても同様である。
【０１２６】
さらに上述した第１の実施の形態においては、２個の蝶番２５を介して取付板２４を後扉２１の扉裏面２１Ｂ側に取り付けるようにした場合について述べた。
【０１２７】
しかしながら本発明はこれに限らず、１個又は３個以上の蝶番２５を介して取付板２４を後扉２１の扉裏面２１Ｂ側に取り付けるようにしても良い。第２〜第４の実施の形態についても同様である。
【０１２８】
さらに上述した第３の実施の形態においては、取付板２２４における重心Ｐの位置を、蝶番２５から見て当該取付板２４の中心よりも遠方に位置させるようにした場合について述べた（図８）。
【０１２９】
しかしながら本発明はこれに限らず、例えば取付板２２４の厚さ方向に関する重心Ｐの位置についても、例えば当該取付板２２４の裏面側に偏らせる等、重心Ｐの位置を様々に調整するようにしても良い。第１、第２及び第４の実施の形態についても同様である。
【０１３０】
さらに上述した第３の実施の形態においては、ケーブル３１の自重及び張力を利用することにより、畳込状態にある取付板２４に対し裏面方向へ力を作用させるようにした場合について述べた。
【０１３１】
しかしながら本発明はこれに限らず、例えばケーブル３１がねじり方向に弾性力を有している場合に、取付板２４が展開状態にあるときに自然状態となり、且つ畳込状態にあるときにねじり方向への復元力（弾性力）が作用するよう、当該ケーブル３１を後扉２１及び操作パネル３０にそれぞれ固定するようにしても良い。
【０１３２】
さらに上述した第４の実施の形態においては、取付板２４に取り付けた吸着部３４１と後扉２１に取り付けた被吸着部３４２との磁力を利用した吸着作用により当該取付板２４を展開状態に維持するようにした場合について述べた。
【０１３３】
しかしながら本発明はこれに限らず、例えば取付板２４に磁性体でなる被吸着部３４２を取り付けると共に後扉２１に磁石でなる吸着部３４１を取り付けるようにしても良く、或いは取付板２４及び後扉２１の双方に互いに逆極性の磁石を取り付けるようにしても良い。
【０１３４】
さらに上述した第１の実施の形態においては、取付板２４の板表面２４Ａに、保守作業者の操作を受け付けると共に表示画面を表示する操作パネル３０を取り付けるようにした場合について述べた。
【０１３５】
しかしながら本発明はこれに限らず、例えば保守作業者の操作を受け付ける操作部や、表示画面を表示して保守作業者に視認させる表示部等、保守作業者と対峙して使用される種々の部品を取付板２４の板表面２４Ａに取り付けるようにしても良い。第２〜第４の実施の形態についても同様である。
【０１３６】
さらに上述した第１の実施の形態においては、後扉２１に操作パネル３０よりも一回り大きい孔部２１Ｈを穿設することにより、取付板２４が畳込状態にあるときに当該操作パネル３０の全面を当該孔部２１Ｈから扉表面２１Ａ側へ露出させるようにした場合について述べた。
【０１３７】
しかしながら本発明はこれに限らず、例えば後扉２１に操作パネル３０よりも小さな孔部を穿設することにより、取付板２４が畳込状態にあるときに当該操作パネル３０の一部のみを扉表面２１Ａ側へ露出させるようにしても良い。第２〜第４の実施の形態についても同様である。
【０１３８】
さらに上述した第１の実施の形態においては、孔部３３Ｈが穿設された保護板３３を後扉２１の表側に蝶番３４を介して取り付けるようにした場合について述べた。
【０１３９】
しかしながら本発明はこれに限らず、例えば保護板３３から孔部３３Ｈを省略しても良く、或いは保護板３３及び蝶番３４を省略するようにしても良い。第２〜第４の実施の形態についても同様である。
【０１４０】
さらに上述した第１の実施の形態においては、現金自動預払機１における筐体２の後側に設けられた後部２０において、操作パネル３０が取り付けられた取付板２４を後扉２１に対し蝶番２５を介して回動可能に取り付ける場合について述べた。
【０１４１】
しかしながら本発明はこれに限らず、種々の装置において、後扉２１に相当する種々の基体に対し、取付板２４に相当する種々の対象体を蝶番２５に相当する種々の回動部により回動させる場合に適用するようにしても良い。
【０１４２】
さらに上述した実施の形態においては、基体としての後扉２１と、対峙体としての取付板２４と、回動部としての蝶番２５と、一時固定部としての係合部２６とによって回動装置としての後部２０を構成する場合について述べた。
【０１４３】
しかしながら本発明はこれに限らず、その他種々の構成でなる基体と、対峙体と、回動部と、一時固定部とによって回動装置を構成するようにしても良い。
【産業上の利用可能性】
【０１４４】
本発明は、取付板２４のように使用者に対峙して使用される対峙体を２通りの状態の間で回動させる種々の装置でも利用できる。
【符号の説明】
【０１４５】
１……現金自動預払機、２……筐体、２０、１２０、２２０、３２０……後部、２１……後扉、２１Ａ……扉表面、２１Ｂ……扉裏面、２２……蝶番、２４、２２４……取付板、２４Ａ……板表面、２４Ｂ……板裏面、２５、１２５……蝶番、２６……係合部、３０……操作パネル、３１……ケーブル、３２、２３２……ケーブル支持部、３３……保護板、３４……蝶番、３４１……吸着部、３４２……被吸着部、ＸＲ……回動軸、ＸＶ……鉛直軸、Ｐ……重心、Ｗ……重力、Ｗ１、Ｗ２、Ｗ３、Ｗ４……成分。
【図１】
2014075041.tif 000003
【図２】
2014075041.tif 000004
【図３】
2014075041.tif 000005
【図４】
2014075041.tif 000006
【図５】
2014075041.tif 000007
【図６】
2014075041.tif 000008
【図７】
2014075041.tif 000009
【図８】
2014075041.tif 000010
【図９】
2014075041.tif 000011